(57)【要約】【課題】既知の装置の不都合を回避し且つエスカレータまたは動く歩道を保護的に駆動する手摺り駆動装置を作成する。【解決手段】手摺り（２）を備える欄干（１．１）を両側に持つこのエスカレータ上に、欄干ベース（１．２）によって欄干（１．１）が保持される。ステップ（１．４）を有し且つ人を搬送するステップバンド（１．３）は、側部において欄干ベース（１．２）に接している。手摺り駆動装置（２．１）は、手摺り（２）を駆動し、摩擦車（３）が外側（２．２）で手摺り（２．２）を駆動する。手摺り（２）の内側（２．３）においては、ローラー（８）が、手摺り（２）を摩擦車（３）に押し付けている。ステップチェーン車（５）上に配置される摩擦車（４）は、摩擦的係合または機械的な係合によって摩擦車（３）を駆動する。【選択図】      図１
2004352498.tif 000002
【特許請求の範囲】
【請求項１】
トラス（１２）と、人および／または物の搬送のためのステップ（１．４）を備えるステップバンド（１．３）またはパレットを備えるパレットバンドと、欄干ベース（１．２）によって保持され且つ手摺り（２）を有する両側の欄干（１．１）と、手摺り（２）を駆動する手摺り駆動装置（２．１）とからなるエスカレータ（１）または動く歩道であって、
手摺り（２）を外側（２．２）で駆動する手摺り駆動装置（２．１）が設けられることを特徴とする、エスカレータ（１）または動く歩道。
【請求項２】
手摺り駆動装置（２．１）は、外側（２．２）で摩擦的な係合により手摺り（２）を駆動する摩擦車（３、３．１）と、手摺りの内側に配設され、手摺り（２）を摩擦車（３、３．１）に対して押し付ける押圧ローラー（８）とを有することを特徴とする、請求項１に記載のエスカレータ（１）または動く歩道。
【請求項３】
摩擦的な係合によって摩擦車（３、３．１）を駆動する駆動車（４）が設けられることを特徴とする、請求項２に記載のエスカレータ（１）または動く歩道。
【請求項４】
機械的な係合によって摩擦車（３、３．１）を駆動する駆動車（４）が設けられることを特徴とする、請求項２に記載のエスカレータ（１）または動く歩道。
【請求項５】
摩擦駆動車（４）は、ステップチェーン車上に配設されることを特徴とする、請求項３または４に記載のエスカレータ（１）または動く歩道。
【請求項６】
トルクを伝達する目的のために、エスカレータの一方の側または動く歩道の一方の側の摩擦車（３）は、エスカレータの他方の側または動く歩道の他方の側の摩擦車（３．１）にシャフトによって連結されていることを特徴とする、請求項１から請求項５のうちの一項に記載のエスカレータ（１）または動く歩道。
【請求項７】
シャフト（９）の代わりに摩擦車（１４、１４．１）を備えるカウンタシャフト（１３）が設けられ、カウンタシャフトは、エスカレータの他方の側または動く歩道の他方の側の摩擦車（３．１）を駆動することを特徴とする、請求項６に記載のエスカレータ（１）または動く歩道。
【請求項８】
エスカレータの他方の側または動く歩道の他方の側の摩擦車（３．１）は、軸（９）の代わりに、前記エスカレータ駆動装置または動く歩道駆動装置のベルト（１９）によって駆動され得ることを特徴とする、請求項６に記載のエスカレータ（１）または動く歩道。
【発明の詳細な説明】
【技術分野】
【０００１】
本発明は、トラスと、人および／または物の搬送のためのステップを備えるステップバンドまたはパレットを備えるパレットバンドと、および欄干ベースによって保持され且つ手摺りを有する欄干とからなり、手摺りは手摺り駆動装置によって駆動されるエスカレータまたは動く歩道に関する。
【背景技術】
【０００２】
ヨーロッパ特許ＥＰ０５３０９４６Ｂ１号明細書から、手摺りが、該手摺りの外側で従動車によって、そして手摺りの内側で二つの駆動車によって、案内されるエスカレータが、知られている。駆動車は、駆動ベルトによって連結され、駆動ベルトは、内側で手摺りを従動車に対して押し付け、手摺りをそれによって移動させる。駆動車は、ステップチェーン駆動装置によってベルトを介して駆動される。
【０００３】
既知の装置の不都合は、手摺りの駆動が、駆動ベルトによって手摺りの内側で行われることである。もしも、ベルトの張力が減弱すると、手摺りの駆動を確実にするには従動車上の摩擦が不充分となる。また、前記車に大きなラップ角度が要求され、そして手摺りが逆方向へ大きく曲げられることになり、手摺りのサービス寿命に対する逆効果となる。
【特許文献１】ヨーロッパ特許ＥＰ０５３０９４６Ｂ１号明細書
【発明の開示】
【発明が解決しようとする課題】
【０００４】
本発明が、救済策を提供しようとしているのはまさにここである。請求項１において特徴付けられた本発明は、既知の装置の不都合を回避し且つエスカレータまたは動く歩道を安全に駆動する手摺り駆動装置を作り出すための解決法を提供するものである。
【０００５】
本発明の有利なさらなる展開は、各従属請求項に述べられている。
【課題を解決するための手段】
【０００６】
本発明によって達成される利点は、本発明に従った手摺り駆動装置によって、そして本発明に従った移動手摺り案内によって、実質的により長さの短い手摺りとすることが可能となることに本質的に認められる。手摺りは、ステップバンドまたはパレットバンドと交差することはなく、そのことはトラスがより狭く構成され得るという優位性を有する。本発明に従った手摺り駆動装置は、より大きな摩擦係数を有する、外側での摩擦係合によって手摺りを駆動し、その結果として、より大きな摩擦力が、手摺りの逆方向への曲げをより少なくして、達成される。総合的に、本発明に従った手摺り駆動装置は、機械的に簡単に且つより少ない個別部品によって構成され、そのことは、結果として、より短い据え付け時間、より少ない保守作業、そしてより低い製造コストというさらなる利点を生ずる。
【０００７】
本発明は、添付された図面を参照することによって一層詳細に説明される。
【発明を実施するための最良の形態】
【０００８】
図１は、両側の各々に手摺り２を備える欄干１．１を有し、欄干１．１は、欄干ベース１．２によって保持されているエスカレータ１を示している。ステップ１．４を有し且つ人を運ぶステップバンド１．３は、両側で欄干ベース１．２に接している。手摺り駆動装置２．１は、手摺り２を駆動し、摩擦車３は、外側２．２すなわち手側で摩擦的係合によって手摺り２を駆動する。手摺り２の内側２．３すなわち摺動側において、ローラー８が、手摺り２を摩擦車３に押し付けている。ステップチェーン車５上に配置される駆動車４は、摩擦的係合または機械的な係合によって摩擦車３を駆動する。ステップチェーン車５は、その上にステップ１．４が配列されるステップチェーン５．１を移動させる。
【０００９】
図１から図５は、摩擦車３の摩擦的係合駆動を示しており、駆動車４と摩擦車３の間は摩擦的に係合している。
【００１０】
ステップチェーン車５を支持するメインシャフト６は、駆動チェーン車７によって駆動され、駆動チェーン車７は、図示されていないエスカレータ駆動装置（チェーン駆動装置およびエスカレータ・モータ）によって駆動可能とされている。
【００１１】
スプリング１６によって駆動車４に押し付けられている摩擦車３は、外側２．２で摩擦により手摺り２を駆動する。摩擦車３は、例えば、約７５０ｍｍの直径を有する。手摺り２の内側２．３すなわち摺動面においては、押圧ローラー８が、手摺り２を摩擦車３に押し付けている。内側２．３における摩擦係数は、手摺り２の外側部２．２における摩擦係数よりも実質的に低い。
【００１２】
トルクを伝達する目的のために、エスカレータの一方の側の摩擦車３は、シャフト９によって、該エスカレータの他方の側の摩擦車３．１に結合されており、押圧ローラー８は、手摺り２を摩擦車３．１に押し付けている。内部的なエスカレータ駆動装置を備えるエスカレータの場合には、摩擦車３．１は、付加的な駆動車によって駆動されるようにすることもできる。図２および図３ａに示されるように、シャフト９は、端部プレート１１において軸受け１０によって支持されている。
【００１３】
図４および図５に示される変形例において、摩擦車３、３．１は、トラス１２上に配設され且つ軸受け１５によって支持されており、摩擦車３は、旋回アーム１５．１によって移動可能に支持されている。摩擦車１４、１４．１を備えるカウンタシャフト１３は、エスカレータの他方の側の摩擦車３．１を駆動する。この変形例においては、シャフト９は存在せず、その結果として、トラス１２の交差コネクターのための空間が存在することとなる。
【００１４】
図６は、機械的係合による摩擦車３の駆動が示されており、そこでは駆動車４の代わりに歯車１７が設けられている。
【００１５】
図７は、互いに別々に駆動される摩擦車３、３．１を備える手摺り駆動装置２．１を示している。当該エスカレータの一方の側の摩擦車３は、駆動車４によって駆動される。この変形実施例においては、駆動チェーン車７が、歯付きベルト車１８によって置き換えられており、歯付きベルト車１８およびメインシャフト６は、エスカレータ・モータの歯付きベルトピニオンを超えて通過される歯付きベルト１９によって駆動可能とされている。該エスカレータの他方の側の摩擦車３．１は、歯付きベルト１９の歯付きのベルト背面に対しスプリング１６によって押し付けられており、そしてそれによって摩擦的係合によって駆動される。このことは、結果としてスリップのない一定のスピードを生ずる。牽引容量を改善するために、歯付きのベルト背面は、スタッドが設けられ得る。
【００１６】
この変形実施例の利点は、より少ない個別部品（シャフト９、カウンタシャフト１３が無い）しか必要とされないことである。シャフトが無いので、エスカレータ駆動装置および手摺り駆動装置のための据え付け時間を、一層少なくすることが可能となる。
【００１７】
本発明に従った手摺り駆動装置２．１は、動く歩道にも使用され得る。
【図面の簡単な説明】
【００１８】
【図１】本発明に従った手摺り駆動装置を備えるエスカレータの側面図である。
【図２】本発明に従った手摺り駆動装置の平面図である。
【図３ａ】本発明に従った手摺り駆動装置の端面図である。
【図３ｂ】図３ａの詳細図である。
【図４】本発明に従った手摺り駆動装置のさらなる変形実施の形態の側面図である。
【図５】図４に従った手摺り駆動装置の平面図である。
【図６】駆動用歯付き車を備える手摺り駆動装置である。
【図７】手摺り駆動装置のさらなる変形実施形態である。
【符号の説明】
【００１９】
１  エスカレータ
１．１  欄干
１．２  欄干ベース
１．３  ステップバンド
１．４  ステップ
２  手摺り
２．１  手摺り駆動装置
２．２  外側
２．３  内側
３、３．１、１４、１４．１  摩擦車
４  駆動車
５  ステップチェーン車
５．１  ステップチェーン
６  メインシャフト
７  駆動チェーン車
８  押圧ローラー
９  シャフト
１０、１５  軸受け
１１  端部プレート
１２  トラス
１３  カウンタシャフト
１５．１  旋回アーム
１６  スプリング
１７  歯車
１８  歯付きベルト車
１９  歯付きベルト
【図１】
2004352498.tif 000003
【図２】
2004352498.tif 000004
【図３ａ】
2004352498.tif 000005
【図３ｂ】
2004352498.tif 000006
【図４】
2004352498.tif 000007
【図５】
2004352498.tif 000008
【図６】
2004352498.tif 000009
【図７】
2004352498.tif 000010
【外国語明細書】
2004352498.tif 000011
2004352498.tif 000012
2004352498.tif 000013
2004352498.tif 000014
2004352498.tif 000015
2004352498.tif 000016
2004352498.tif 000017
2004352498.tif 000018
2004352498.tif 000019
2004352498.tif 000020
2004352498.tif 000021
2004352498.tif 000022
2004352498.tif 000023
2004352498.tif 000024
2004352498.tif 000025
2004352498.tif 000026
2004352498.tif 000027